【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
原液流から微粒子を濾過するために、タンクと、媒体床と、１つ又は複数の原液入口と、１つ又は複数の濾過済み液体出口と、を含む媒体床フィルタであって、
−前記タンクは、
・上部と、
・底面を画定する下部と、を備えており、
−前記媒体床は、前記底面に配置される支持媒体と、前記支持媒体を覆う濾過媒体と、を有し、前記タンクの上部は前記媒体床の前記濾過媒体より上に位置しており、
−前記１つ又は複数の原液入口は、濾過媒体の離脱速度と略同等以上の水平で平行な指向性速度を有する複数の噴流の形態でタンク内に原液流を供給するために、前記タンクの上部に位置する複数のノズルを含むノズル構造部と流体連通している、
媒体床フィルタ。
【請求項２】
原液流から微粒子を濾過するために、タンクと、媒体床と、１つ又は複数の原液入口と、１つ又は複数の濾過済み液体出口と、を含む媒体床フィルタであって、
−前記タンクは、
・上部と、
・底面を画定する下部と、を備えており、
−前記媒体床は、前記底面に配置される支持媒体と、前記支持媒体を覆う濾過媒体と、を有し、前記タンクの上部は前記媒体床の前記濾過媒体より上に位置しており、
−前記１つ又は複数の原液入口は、前記媒体床の前記濾過媒体に向けて原液流を供給するために、前記タンクの上部に位置する１つ又は複数のノズルを含むノズル構造部と流体連通しており、
−前記濾過媒体の離脱速度と略同等以上の水平で平行な指向性速度を有するように前記原液流を再配向させるための１つ又は複数のバッフルを、前記ノズル構造部と前記濾過媒体との間にさらに備えている、
媒体床フィルタ。
【請求項３】
前記複数のノズルは反対方向に向けられている、請求項１に記載の媒体床フィルタ。
【請求項４】
前記複数のノズルは、前記複数の噴流を前記媒体床の上方において前記タンクの表面に向けて供給し、当該表面によって前記原液流が水平で平行な指向性速度で方向付けられるように構成されている、請求項１又は３に記載の媒体床フィルタ。
【請求項５】
前記ノズル構造部は、前記タンクの上部内で前記原液入口より上に位置するか、あるいは前記タンクの上部内で前記原液入口より下に位置するかのいずれかである、請求項１又は３又は４に記載の媒体床フィルタ。
【請求項６】
前記ノズル構造部は、前記複数の噴流を前記媒体床の濾過媒体に向けて垂直に供給するように方向付けられており、前記濾過媒体の離脱速度と略同等以上の水平で平行な指向性速度を有するように前記原液流を再配向させるための１つ又は複数のバッフルを、前記ノズル構造部と前記濾過媒体との間にさらに備えている、請求項１に記載の媒体床フィルタ。
【請求項７】
前記１つ又は複数の原液入口は、それぞれのノズル構造部と流体連通する、請求項１〜６のいずれかに記載の媒体床フィルタ。
【請求項８】
前記ノズル構造部は、前記複数の噴流をタンクに上向きの方向に流入するように供給するために上向きの方向に向けられるか、あるいは前記複数の噴流をタンクに下向きの方向に流入するように供給するために下向きの方向に向けられるかのいずれかである、請求項７に記載の媒体床フィルタ。
【請求項９】
前記ノズル構造部は、前記複数の噴流を前記媒体床の濾過媒体に向けて水平に供給するように方向付けられるとともに、前記タンクの上部で前記濾過媒体と略同一高さに位置する、請求項１に記載の媒体床フィルタ。
【請求項１０】
前記複数のノズルの各々は、エルボ状、直線状、湾曲状、正多角形状、分節状、変則多角形状、円形状、折り曲げ状、およびそれらのいずれかの組合せのうちの少なくとも１つを含む形状である、請求項１〜９のいずれかに記載の媒体床フィルタ。
【請求項１１】
前記複数のバッフルは変位可能なバッフルを含む、請求項２又は６に記載の媒体床フィルタ。
【請求項１２】
前記噴流の流速を制御するか、前記ノズル構造部の配向又は前記原液入口の配向又はその両方を制御するための制御ユニットをさらに含む、請求項１〜１１のいずれかに記載の媒体床フィルタ。
【請求項１３】
原液流を濾過する方法であって、
‐上部及び底面を画定する下部を有するタンクと、１つ又は複数の原液入口と、１つ又は複数の濾過済み液体出口と、前記底面に配置される支持媒体及び前記支持媒体を覆う濾過媒体を有する媒体床と、を含む媒体床フィルタであって、前記タンクの上部は前記媒体床の前記濾過媒体より上に位置している、媒体床フィルタを設け、
−前記原液流を循環させるためのノズル構造部を前記タンク内に設け、
−前記濾過媒体内において、当該濾過媒体の離脱速度と略同等の水平で平行な指向性速度にて前記原液流を水平方向に循環させることにより、前記濾過媒体を離脱させて、濾過済み液を生成させ、
‐当該濾過済み液を前記１つ又は複数の濾過済み液体出口を介して前記濾過媒体の下方において回収する、各ステップを含む方法。
【請求項１４】
前記離脱させるステップは、前記原液流を反対方向に向けられた複数の噴流の形態で前記媒体床の上方に供給することを含む、請求項１３に記載の方法。
【請求項１５】
前記離脱させるステップは、前記原液流を複数の噴流の形態で前記媒体床の上方にて前記タンクの表面に向けて供給して、それによって前記水平で平行な指向速度となるよう前記原液流を再配向させることを含む、請求項１３又は１４に記載の方法。
【請求項１６】
前記離脱させるステップは、前記原液流を１つ又は複数の噴流の形態にて１つ又は複数のバッフルに向けて供給して、前記水平で平行な指向速度となるよう前記原液流を再配向させることを含む、請求項１３に記載の方法。
【請求項１７】
前記離脱させるステップは、前記原液流を複数の噴流の形態にて前記濾過媒体と略同一高さにて供給し、それによって前記原液流を前記濾過媒体内において実質的に前記水平方向に供給することを含む、請求項１３に記載の方法。
【請求項１８】
支持媒体と前記支持媒体を覆う濾過媒体とを含む媒体床を用いて、原液流から微粒子を濾過するための濾過タンクであって、
−前記媒体床の濾過媒体の上方に位置する上部と、
−前記媒体床を受ける底面を画定する下部と、
−前記タンクの上部に配置されたノズル構造部と流体連通する１つ又は複数の原液入口と、
−前記タンクの底部の近傍に位置する１つ又は複数の濾過済み液体出口と、を備え、
前記ノズル構造部は、濾過媒体の離脱速度と略同等以上の水平で平行な指向性速度にて原液流を供給するように構成されている、
濾過タンク。
【請求項１９】
前記ノズル構造部は、１つ又は複数の噴流を形成する１つ又は複数のノズルを含んでおり、さらに、当該１つ又は複数の噴流を受けるための１つ又は複数のバッフルを備えている、請求項１８に記載の濾過タンク。
【請求項２０】
複数のバッフルをさらに含み、各バッフルは相互に平行であり、他のバッフルから横方向に離れている、請求項１９に記載の濾過タンク。
【請求項２１】
前記１つ又は複数のバッフルは変位可能なバッフルを含む、請求項１９又は２０に記載の濾過タンク。
【請求項２２】
前記ノズル構造部は、反対方向に向けられた複数のノズルを含む、請求項１８に記載の濾過タンク。
【請求項２３】
前記複数のノズルは、前記複数の噴流を前記タンクの表面に向けて供給する、請求項２２に記載の濾過タンク。
【請求項２４】
前記噴流の流速を制御するか、前記ノズル構造部の配向又は前記原液入口の配向又はその両方を制御するための制御ユニットをさらに含む、請求項１８〜２３のいずれかに記載の濾過タンク。
【請求項２５】
前記１つ又は複数の原液入口は、それぞれのノズル構造部と流体連通する、請求項１８〜２４のいずれかに記載の濾過タンク。